【事件の表示】
　特願２０１６−　８１３４５「医用画像処理装置、医用画像処理方法、及び医用画像処理プログラム」拒絶査定不服審判事件〔平成２９年１０月１９日出願公開、特開２０１７−１８９４６０〕について、次のとおり審決する。
【結　論】
　本件審判の請求は、成り立たない。
【理　由】
第１　手続の経緯
　本願は、平成２８年４月１４日の出願であって、令和元年１２月２日付けで拒絶理由が通知され、令和２年２月７日付けで意見書及び手続補正書が提出され、同年４月２０日付けで拒絶査定されたところ（送達日：同年５月７日）、同年８月７日に拒絶査定不服審判の請求がなされ、同時に手続補正がなされたものである。
第２　令和２年８月７日にされた手続補正についての補正の却下の決定
［補正の却下の決定の結論］
　令和２年８月７日にされた手続補正（以下「本件補正」という。）を却下する。
［理由］
１　本件補正について
（１）本件補正後の特許請求の範囲の記載
　本件補正により、特許請求の範囲の請求項１の記載は、次のとおり補正された。（下線部は、補正箇所である。）
「【請求項１】
　被検体を含むボリュームデータを取得するポートと、
　前記ボリュームデータに基づいて表示画像を生成するプロセッサと、
　前記表示画像を表示するディスプレイと、
　を備え、
　前記表示画像の少なくとも１つの画素の画素値は、
　前記ボリュームデータに対して投射される仮想光線上の任意の範囲におけるボクセルのボクセル値の統計値と、
　前記仮想光線上の任意の位置における前記被検体の輪郭の陰影値と、
　に基づいて定められ、
　前記統計値と前記輪郭の陰影値は独立した値であ
り、
　前記プロセッサは、前記表示画像を生成する際に、前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように、前記輪郭の陰影の透明度を設定する、
　医用画像処理装置。」
（２）本件補正前の特許請求の範囲
　本件補正前の、令和２年２月７日にされた手続補正により補正された特許請求の範囲の請求項１の記載は次のとおりである。
「【請求項１】
　被検体を含むボリュームデータを取得するポートと、
　前記ボリュームデータに基づいて表示画像を生成するプロセッサと、
　前記表示画像を表示するディスプレイと、
　を備え、
　前記表示画像の少なくとも１つの画素の画素値は、
　前記ボリュームデータに対して投射される仮想光線上の任意の範囲におけるボクセルのボクセル値の統計値と、
　前記仮想光線上の任意の位置における前記被検体の輪郭の陰影値と、
　に基づいて定められ、
　前記統計値と前記輪郭の陰影値は独立した値である、
　医用画像処理装置。」
２　補正の適否
　本件補正は、「前記プロセッサは、前記表示画像を生成する際に、前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように、前記輪郭の陰影の透明度を設定する」旨の限定を付加するものであって、補正前の請求項１に記載された発明と補正後の請求項１に記載される発明の産業上の利用分野及び解決しようとする課題が同一であるから、特許法１７条の２第５項２号の特許請求の範囲の減縮を目的とするものに該当する。
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献１
（ア）引用文献１に記載された事項
　原査定の拒絶の理由で引用された本願出願前に頒布された又は電気通信回線を通じて公衆に利用可能となった文献である、国際公開第２００７／０４３３１０号（以下「引用文献１」という。）には、図面とともに、次の記載がある。（下線は当審にて付した。以下同様である。）
（引１ａ）「[0015] 本発明の第１の実施形態を、図１〜５を用いて説明する。図１は、
第１の実施形態の医用画像診断システム
は、被検体から三次元ボリュームデータを取得する医用画像診断装置１０と、医用画像診断装置１０が取得したボリュームデータを記憶するボリュームデータ記憶部１１と、ボリュームデータ記憶部１１が記憶したボリュームデータに基づいてＭＩＰ画像を作成するＭＩＰ画像作成部１２と、三次元空間の切断面を作成する切断面作成部１３と、ＭＩＰ画像と切断面との相互位置関係を表す位置関係表示画像を作成する位置関係表示画像作成部１４と、位置関係表示画像作成部１４が作成した位置関係表示画像を表示する表示部１５と、ＣＰＵ（Central Processing Unit）からなり上記各構成要素の制御を行う制御部１６と、マウス、トラックボール、キーボード等からなり、検者の指示を制御部１６に与える操作部１７と、を含む。
（引１ｂ）「[0018] 
ＭＩＰ画像作成部１２は、ボリュームデータ記憶部１１に記憶されたボリュームデータに基づいてＭＩＰ法を用いてＭＩＰ画像を作成する。ＭＩＰ法では、ボリュームデータに対し、検者が指定した視点及び投影面に対応した配置関係で二次元構造体である投影面を三次元空間に配置する。そして、ボリュームデータの投影面上の各画素への投影値として、投影線上にあるデータのうち値が最も大きなデータの値を求める。このようにして求めた投影値を各画素の値として、これら複数の画素に基づいてＭＩＰ画像を表示する
（引１ｃ）「[0059] 次に、本発明の第２の実施形態を、図９及び１０を用いて説明する。
第２の実施形態が第１の実施形態と異なる点は、表示画像として被検体の体表画像を加えて、ＭＩＰ画像と切断面と体表画像との相互位置関係を表すように、位置関係表示画像が作成され表示されることである。
[0060] 図９は、
第２の実施形態の医用画像診断システムの
超音波診断装置５７は、
探触子
５０と、探触子５０に駆動信号を供給する共に探触子５０から出力される受信信号を処理して受信データを出力する超音波送受信部５１と、超音波送受信部５１から出力された受信データに基づいて超音波画像を再構成する超音波画像作成部５２と、超音波画像作成部５２から出力された超音波画像を表示する表示部５６と、を含む
[0061] 
超音波診断装置５７は、
医用画像診断装置１０により取得された被検体に関するボリュームデータを取り込んで記憶するボリュームデータ記憶部１１を備え
（引１ｄ）「 [0065] 
ボリュームデータ記憶部１１は、医用画像診断装置１０が取得したボリュームデータをその三次元位置座標とともにメモリなどに記憶する
[0066] リファレンス画像構成部５５は、超音波断層面座標算出部５４から出力された探触子５０の位置データに基づき、ボリュームデータ記憶部１１に記憶されたボリュームデータからリファレンス画像用データを抽出してリファレンス画像を再構成する。このリファレンス画像用データは、リアルタイム撮像のときは、現に撮像されている超音波画像のスキャン面に対応する。リファレンス画像は、撮像されている超音波画像と同一断面の断層像として表示部５６に表示される。
[0067] 
超音波診断装置５７は、
ボリュームデータ記憶部１１に記憶されたボリュームデータに基づいてＭＩＰ画像及びサーフェイスレンダリング（ＳＲ）画像を作成してそれらを合成する三次元画像作成部５８と、三次元空間の切断面を作成する切断面作成部１３と、ＭＩＰ画像と切断面との相互位置関係を表す位置関係表示画像を作成する位置関係表示画像作成部１４と、を備え
超音波診断装置５７は、各構成要素を制御する制御部及び操作部
を備え
[0068] ここで、ガイド情報の作成について詳細に説明する。
三次元画像作成部５８は、ボリュームデータ記憶部１１に記憶されたボリュームデータに基づいて第１の実施形態で説明したＭＩＰ法を用いてＭＩＰ画像を作成すると共に、ボリュームデータ記憶部１１に記憶されたボリュームデータに基づいてサーフェイスレンダリング（ＳＲ）法やボリュームレンダリング（ＶＲ）法を用いて被検体の体表を表す画像（ここでは、ＳＲ画像と称することとする）を作成する
[0069] 
サーフェイスレンダリング法では、ボリュームデータに対して視点及び投影面が検者により設定され、ボリュームデータから閾値処理などによって被検体の表面境界が抽出され、投影面上の各画素（座標（Ｘ，Ｙ））への投影値として、視線ベクトルと境界面の法線ベクトルとのなす角度をもととした陰影処理結果が投影値に反映され
[0070] ボリュームレンダリング法では、ボリュームデータに対して視点及び投影面が検者により設定され、投影面上の各画素（座標（Ｘ，Ｙ））への投影値として、視線上にあるボクセルの輝度が各画素の不透明度によって重み付けされながら加算される。このとき、奥行き情報（Ｚ座標）には、輝度値がある閾値より大きくなった個所のＺ座標又は輝度勾配がある閾値より大きくなった個所のＺ座標が採用される
[0071] 三次元画像作成部５８は、血管部分の画像をＭＩＰ法で作成し被検体の体表の画像をサーフェイスレンダリング法やボリュームレンダリング法で作成して三次元画像を作成する際、三次元空間におけるＭＩＰ画像及びＳＲ画像の奥行き情報（Ｚ座標）を併せて算出する。
[0072] 
三次元画像作成部５８は、
ＭＩＰ画像とＳＲ画像とを合成する
ＭＩＰ画像とＳＲ画像とを合成する際、ＭＩＰ画像のＺ座標とＳＲ画像のＺ座標とを比較することにより、ＭＩＰ画像及びＳＲ画像のうち視点２１からより遠く他方の陰になって見えない一方に対して陰面処理を施す
ＭＩＰ画像及びＳＲ画像に対してそれぞれ不透明度を設定しておき、不透明度に応じた係数及びＺ座標値に応じた割合でＭＩＰ画像の輝度値とＳＲ画像の輝度値とをブレンドすることで、手前側のＳＲ画像が半透明に表示され、奥側のＭＩＰ画像がＳＲ画像を透過して表示されるようにする
[0073] 切断面作成部１３は、位置データ算出部５９から出力された磁気センサ５３の位置データ（探触子５０の三次元位置と傾き（ねじれ））に基づいて、三次元空間内における切断面を作成する。具体的には、切断面作成部１３は、探触子５０の三次元位置に基づいて第１の実施形態で説明した平面式（式（２））において（Ｘ０，Ｙ０，Ｚ０）を変化させることにより、切断面の三次元位置を探触子５０の三次元位置に応じて移動させる。また、切断面作成部１３は、探触子５０の傾き（ねじれ）に基づいて第１の実施形態で説明した回転成分Ｒ（式（１））を変化させて、切断面を切断面の中心を支点として回転させることにより、切断面を、探触子５０の回転に応じて、切断面の中心を通る切断面の法線を軸として回転させる。
[0074] 
位置関係表示画像作成部１４は、三次元画像作成部５８で作成されたＭＩＰ画像とＳＲ画像とが合成された三次元画像と、切断面作成部１３で作成された切断面との相互位置関係を表す位置関係表示画像を作成する
（引１ｅ）「[0077] 図１０に示すように、
表示部５６は、位置関係表示画像部１４で作成された位置関係表示画像６０
を表示する
[0078] 位置関係表示画像６０では、ＭＩＰ画像として表示された血管３１、３２、３３の画像と共に切断面３４が表示されているので、検者は、血管３１、３２及び３３のそれぞれと切断面３４との位置関係から、血管３２が最も手前側に位置し、血管３１が最も奥側に位置し、血管３３が血管３２と血管３１との間に位置することを把握することができ、血管３１、３２及び３３の奥行き関係を把握することができる。更に、
合成画像６０では、被検体の体表を表すＳＲ画像３６が血管３１、３２、３３の画像及び切断面３４と共に表示されている
立体的な位置関係を把握する
（イ）引用文献１に記載された発明
ａ　上記（引１ａ）より、引用文献１には、「第１の実施形態の医用画像診断システム」として、以下の事項が記載されている。
「被検体から三次元ボリュームデータを取得する医用画像診断装置１０と、
医用画像診断装置１０が取得したボリュームデータを記憶するボリュームデータ記憶部１１と、
ボリュームデータ記憶部１１が記憶したボリュームデータに基づいてＭＩＰ画像を作成するＭＩＰ画像作成部１２と、
三次元空間の切断面を作成する切断面作成部１３と、ＭＩＰ画像と切断面との相互位置関係を表す位置関係表示画像を作成する位置関係表示画像作成部１４と、
位置関係表示画像作成部１４が作成した位置関係表示画像を表示する表示部１５と、
ＣＰＵ（Central Processing Unit）からなり、
上記各構成要素の制御を行う制御部１６と、
マウス、トラックボール、キーボード等からなり、検者の指示を制御部１６に与える操作部１７と、を含む
第１の実施形態の医用画像診断システム。」
ｂ　上記（引１ｂ）より、「第１の実施形態の医用画像診断システム」の「ＭＩＰ画像作成部１２は、ボリュームデータ記憶部１１に記憶されたボリュームデータに基づいてＭＩＰ法を用いてＭＩＰ画像を作成」するものであり、「ＭＩＰ法では、ボリュームデータに対し、検者が指定した視点及び投影面に対応した配置関係で二次元構造体である投影面を三次元空間に配置する」ものであって、「ボリュームデータの投影面上の各画素への投影値として、投影線上にあるデータのうち値が最も大きなデータの値を求め」、「求めた投影値を各画素の値として、これら複数の画素に基づいてＭＩＰ画像を表示する」ものである旨記載されている。
ｃ　上記（引１ｃ）〜（引１ｅ）の「位置関係表示画像」、「位置関係表示画像６０」及び「合成画像６０」は、何れも同じものを指しているから、「位置関係表示画像６０」として整理する。そして、上記（引１ｃ）〜（引１ｅ）より、引用文献１には、「第２の実施形態の医用画像診断システム」として、以下の事項が記載されている。
「　超音波診断装置５７を備える第２の実施形態の医用画像診断システムにおいて、
　超音波診断装置５７は、
　探触子５０と、
　探触子５０に駆動信号を供給する共に探触子５０から出力される受信信号を処理して受信データを出力する超音波送受信部５１と、
　超音波送受信部５１から出力された受信データに基づいて超音波画像を再構成する超音波画像作成部５２と、
　超音波画像作成部５２から出力された超音波画像を表示する表示部５６と、
を含み、
　医用画像診断装置１０により取得された被検体に関するボリュームデータを取り込んで記憶するボリュームデータ記憶部１１と、
　ボリュームデータ記憶部１１に記憶されたボリュームデータに基づいてＭＩＰ画像及びサーフェイスレンダリング（ＳＲ）画像を作成してそれらを合成する三次元画像作成部５８と、
　三次元空間の切断面を作成する切断面作成部１３と、
　ＭＩＰ画像と切断面との相互位置関係を表す位置関係表示画像６０を作成する位置関係表示画像作成部１４と、
　各構成要素を制御する制御部及び操作部と、
を備え、
　ボリュームデータ記憶部１１は、
　医用画像診断装置１０が取得したボリュームデータをその三次元位置座標とともにメモリなどに記憶し、
　三次元画像作成部５８は、
　ボリュームデータ記憶部１１に記憶されたボリュームデータに基づいて第１の実施形態で説明したＭＩＰ法を用いてＭＩＰ画像を作成すると共に、
　ボリュームデータ記憶部１１に記憶されたボリュームデータに基づいてサーフェイスレンダリング（ＳＲ）法やボリュームレンダリング（ＶＲ）法を用いて被検体の体表を表すＳＲ画像を作成し、
　ＭＩＰ画像とＳＲ画像とを合成し、
　ＭＩＰ画像とＳＲ画像とを合成する際、ＭＩＰ画像のＺ座標とＳＲ画像のＺ座標とを比較することにより、ＭＩＰ画像及びＳＲ画像のうち視点２１からより遠く他方の陰になって見えない一方に対して陰面処理を施し、
　ＭＩＰ画像及びＳＲ画像に対してそれぞれ不透明度を設定しておき、不透明度に応じた係数及びＺ座標値に応じた割合でＭＩＰ画像の輝度値とＳＲ画像の輝度値とをブレンドすることで、手前側のＳＲ画像が半透明に表示され、奥側のＭＩＰ画像がＳＲ画像を透過して表示されるようにし、
　サーフェイスレンダリング法では、
　ボリュームデータに対して視点及び投影面が検者により設定され、ボリュームデータから閾値処理などによって被検体の表面境界が抽出され、投影面上の各画素（座標（Ｘ，Ｙ））への投影値として、視線ベクトルと境界面の法線ベクトルとのなす角度をもととした陰影処理結果が投影値に反映され、
　位置関係表示画像作成部１４は、
　三次元画像作成部５８で作成されたＭＩＰ画像とＳＲ画像とが合成された三次元画像と、切断面作成部１３で作成された切断面との相互位置関係を表す位置関係表示画像６０を作成し、
　表示部５６は、
　位置関係表示画像部１４で作成された、被検体の体表を表すＳＲ画像３６が血管３１、３２、３３の画像及び切断面３４と共に表示されている位置関係表示画像６０を表示する
第２の実施形態の医用画像診断システム。」
ｄ　上記（引１ｃ）において、「第２の実施形態が第１の実施形態と異なる点は、表示画像として被検体の体表画像を加えて、ＭＩＰ画像と切断面と体表画像との相互位置関係を表すように、位置関係表示画像が作成され表示されることである」旨記載されていることから、上記（引１ａ）〜（引１ｅ）より、引用文献１には、以下の発明（以下「引用発明」という。）が記載されている。
「超音波診断装置５７を備える医用画像診断システムにおいて、
　超音波診断装置５７は、
　探触子５０と、
　探触子５０に駆動信号を供給する共に探触子５０から出力される受信信号を処理して受信データを出力する超音波送受信部５１と、
　超音波送受信部５１から出力された受信データに基づいて超音波画像を再構成する超音波画像作成部５２と、
　超音波画像作成部５２から出力された超音波画像を表示する表示部５６と、
　ＣＰＵ（Central Processing Unit）と、
を含み、
　被検体から三次元ボリュームデータを取得する医用画像診断装置１０と、
　医用画像診断装置１０により取得された被検体に関するボリュームデータを取り込んで記憶するボリュームデータ記憶部１１と、
　ボリュームデータ記憶部１１に記憶されたボリュームデータに基づいてＭＩＰ画像及びサーフェイスレンダリング（ＳＲ）画像を作成してそれらを合成する三次元画像作成部５８と、
　三次元空間の切断面を作成する切断面作成部１３と、
　ＭＩＰ画像と切断面との相互位置関係を表す位置関係表示画像６０を作成する位置関係表示画像作成部１４と、
　各構成要素を制御する制御部及び操作部と、
を備え、
　ボリュームデータ記憶部１１は、
　医用画像診断装置１０が取得したボリュームデータをその三次元位置座標とともにメモリなどに記憶し、
　三次元画像作成部５８は、
　ボリュームデータ記憶部１１に記憶されたボリュームデータに基づいて第１の実施形態で説明したＭＩＰ法を用いてＭＩＰ画像を作成すると共に、
　ボリュームデータ記憶部１１に記憶されたボリュームデータに基づいてサーフェイスレンダリング（ＳＲ）法やボリュームレンダリング（ＶＲ）法を用いて被検体の体表を表すＳＲ画像を作成し、
　ＭＩＰ画像とＳＲ画像とを合成し、
　ＭＩＰ画像とＳＲ画像とを合成する際、ＭＩＰ画像のＺ座標とＳＲ画像のＺ座標とを比較することにより、ＭＩＰ画像及びＳＲ画像のうち視点２１からより遠く他方の陰になって見えない一方に対して陰面処理を施し、
　ＭＩＰ画像及びＳＲ画像に対してそれぞれ不透明度を設定しておき、不透明度に応じた係数及びＺ座標値に応じた割合でＭＩＰ画像の輝度値とＳＲ画像の輝度値とをブレンドすることで、手前側のＳＲ画像が半透明に表示され、奥側のＭＩＰ画像がＳＲ画像を透過して表示されるようにし、
　ＭＩＰ法では、
　ボリュームデータに対し、検者が指定した視点及び投影面に対応した配置関係で二次元構造体である投影面を三次元空間に配置するものであって、ボリュームデータの投影面上の各画素への投影値として、投影線上にあるデータのうち値が最も大きなデータの値を求め、求めた投影値を各画素の値として、これら複数の画素に基づいてＭＩＰ画像を表示し、
　サーフェイスレンダリング法では、
　ボリュームデータに対して視点及び投影面が検者により設定され、ボリュームデータから閾値処理などによって被検体の表面境界が抽出され、投影面上の各画素（座標（Ｘ，Ｙ））への投影値として、視線ベクトルと境界面の法線ベクトルとのなす角度をもととした陰影処理結果が投影値に反映され、
　位置関係表示画像作成部１４は、
　三次元画像作成部５８で作成されたＭＩＰ画像とＳＲ画像とが合成された三次元画像と、切断面作成部１３で作成された切断面との相互位置関係を表す位置関係表示画像６０を作成し、
　表示部５６は、
　位置関係表示画像部１４で作成された、被検体の体表を表すＳＲ画像３６が血管３１、３２、３３の画像及び切断面３４と共に表示されている位置関係表示画像６０を表示する
医用画像診断システム。」
イ　参考文献について
　本件補正により追加された「前記プロセッサは、前記表示画像を生成する際に、前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように、前記輪郭の陰影の透明度を設定する」点についての技術を示す文献として、以下の文献を示す。
（ア）特開平０９−２４５１９１号公報（以下「参考文献１」という。）に記載された事項
　参考文献１には、以下の事項が記載されている。
（参１ａ）「【０００６】ところが、従来技術では、このような頂点の透明度から各ピクセルの透明度を算定するに当たって、
各ポリゴンの視線方向に対する角度や光源の方向を考慮することなく、単純に頂点の透明度から個々のピクセルの透明度を補完して求めていた
ため、
正面から見た場合に、個々のポリゴンの面と視線方向との角度が異なっているにもかかわらず、どのポリゴンであっても同じ透明度を持つ画像として表現されることになる
結果、
角筒Ｍが他の物体（例えば三角形の物体）Ｎの前方に配置された場合に、角筒Ｍのどの面でもその背後の物体Ｎが同程度に透視された画像が表示され
画像の表示は、平板状の半透明な物体を物体Ｎの前方に重ね合わせた場合と同様なものであって、物体Ｎの前方に配置されている物体が立体的な角筒であることを明確に認識できるものではなかった
【０００７】すなわち、現実の世界に配置された物体を考えた場合、材質の透明度が変化しなくても、物体そのものの透明度は光源や視線の方向によって変化する。従って、現実の世界では、視線に対して正面を向いているポリゴンと視線に対して角度を持っているポリゴンとでは、その背後の物体を透視できる程度が異なっている。しかし、従来技術は、ポリゴンの角度などに応じて透視できる程度を変化させることが不可能であるため、物体に立体感を与えることができなかった。
【０００８】また、現実の世界では、物体の透明度は、その物体が置かれた環境によって変化する。例えば、日中や明るい照明の下と、夕暮れなどの光量の少ない環境下では同じ材質の物体でも背後の物体を透視できる程度が異なる。そのため、ポリゴンが同じ角度傾いた場合でも、その物体の環境によって透明度が変化する割合が異なってくる。また、着色された物体にあっては、その色によってポリゴンが同じ角度傾いた場合でも、透明度が変化する割合が異なってくる。しかし、従来技術では、このような物体の置かれた環境やその色によって透明度が変化する割合を考慮することなく、単に各ポリゴンの頂点に付与された透明度に従って各ピクセルの透明度を算定していたため、現実感に優れた立体画像を表示することが不可能であった。
【０００９】
本発明は、上述したような従来技術の問題点を解消するために
半透明をしたポリゴンなどの多角形によって画面上に物体を表現するに当たり、多角形の透明度をその平面の傾斜角度に応じて変化させることで、表現された物体に優れた立体感を与えることができる透明度変換方法
を提供することにある。
（参１ｂ）「【００３１】例えば、図３において、頂点の
単位法線ベクトルのＺ成分Ｎｚが１（視線方向に対して単位法線ベクトルの方向が０度であって、ポリゴンの平面と視線方向とが直角の場合）
（参１ｃ）「【００３７】（ステップ４）…透明度の補正変換
透明度変換回路４０に入力された各頂点の透明度は、変換器４１において、頂点の単位法線ベクトルのＺ成分Ｎｚとパラメータレジスタ４２にセットされたパラメータ値Ｐに基づいて補正された後、輝度計算回路５に出力される。すなわち、図５から解るように、
各頂点における法線ベクトルＮの大きさが等しい場合であっても、そのＺ成分の大きさはポリゴンの平面と視線方向とのなす角度によって異なり、ポリゴンの平面と視線方向が直角に近くなるほど単位法線ベクトルのＺ成分は大きくなる。
単位法線ベクトルのＺ成分が大きい（Ｚ成分が１に近い）ので、透明度変換回路４０から出力される補正された頂点の透明度αout は、透明度変換回路４０への入力値αinに近い値になる。一方、角筒の側面になるほど、単位法線ベクトルのＺ成分が小さくなる（Ｚ成分が０に近くなる）ので、補正後の頂点の透明度αout は透明度変換回路４０への入力値αinに比べて低くなる
（イ）特開２０１０−０３３２５２号公報（以下「参考文献２」という。）に記載された事項
　参考文献２には、以下の事項が記載されている。
（参２ａ）「【発明が解決しようとする課題】
【０００３】
　しかし、上記画像生成装置の目的はオブジェクトの視認性を高めることであり、リアリティのある半透明物体を表現することは考慮されていなかった。本発明の目的は、
視点との位置関係によって透明度が変化するような物体をリアルに表現することが可能なプログラム
（参２）「【００４２】
　例えば図３の描画ピクセルｐｂ１のα値を求める場合について説明する。描画ピクセルｐｂ１の法線ベクトルは、法線ベクトルＮａｂとＮｂｃが補間されて求められる。描画ピクセルｐｂ１は、ポリゴン２０２ｂのほぼ中央にあるので、その法線ベクトルは視線ベクトルＮｖとほぼ正対する。従って、
視線ベクトルＮｖと描画ピクセルｐｂ１の法線ベクトルの
内積のべき乗をテクスチャ座標のＵ座標として
αテクスチャを参照する
αテクスチャでは、Ｕ＝１に近いテクセルにはα＝０に近い値が設定され
内積は−０．５となる
内積のべき乗をテクスチャ座標のＵ座標として
αテクスチャを参照すると、Ｕ＝０．２５のテクセルにはα＝０．７５が設定され
描画ピクセルｐｃ１はα＝０．７５で背景色とαブレンディングされ、描画ピクセルｐｃ１の色とオブジェクト２００の色が３：１の割合で合成される。このようにして、法線ベクトルの向きが視線ベクトルの向きと正対する基準方向からずれている描画ピクセルｐｃ１の透明度は、描画ピクセルｐｂ１の透明度よりも低くなる
（ウ）特開２００８−０６７９９２号公報（以下「参考文献３」という。）に記載された事項
　参考文献３には、以下の事項が記載されている。
（参３ａ）「【００２７】
　ボリュームデータ補正部３２は、ボリュームデータ選択部３１によって選択された上述の第１の画素群及び第２の画素群の
画素値を予め設定された３次元表示用の視線ベクトルと臓器境界面に対する法線ベクトルとの内積値に基づいて補正する
不透明度
は、補正された画素値に基づいて不透明度
を設定し
（エ）特開２０１１−２２４１１７号公報（以下「参考文献４」という。）に記載された事項
　参考文献４には、以下の事項が記載されている。
（参４ａ）「【００４２】
　ボリュームデータ補正部５１は、ボリュームデータ生成部４のボリュームデータ記憶部４４から読み出した門脈系ボリュームデータ、肝動脈系ボリュームデータ及び肝静脈系ボリュームデータの
ボクセル値を予め設定された３次元表示用の視線ベクトルと臓器境界面に対する法線ベクトルとの内積値に基づいて補正し
不透明度
は、補正されたボクセル値に基づいて不透明度
を設定する。
（オ）周知技術について
ａ　上記（ア）より、参考文献１には、
「各ポリゴンの視線方向に対する角度や光源の方向を考慮することなく、単純に頂点の透明度から個々のピクセルの透明度を補完して求めていた・・・ため、・・・正面から見た場合に、個々のポリゴンの面と視線方向との角度が異なっているにもかかわらず、どのポリゴンであっても同じ透明度を持つ画像として表現されることになる・・・結果、・・・角筒Ｍが他の物体（例えば三角形の物体）Ｎの前方に配置された場合に、角筒Ｍのどの面でもその背後の物体Ｎが同程度に透視された画像が表示され・・・画像の表示は、平板状の半透明な物体を物体Ｎの前方に重ね合わせた場合と同様なものであって、物体Ｎの前方に配置されている物体が立体的な角筒であることを明確に認識できるものではなかった。
・・・
本発明は、上述したような従来技術の問題点を解消するために・・・半透明をしたポリゴンなどの多角形によって画面上に物体を表現するに当たり、多角形の透明度をその平面の傾斜角度に応じて変化させることで、表現された物体に優れた立体感を与えることができる透明度変換方法・・・を提供することにある。」（参１ａ）
「単位法線ベクトルのＺ成分Ｎｚが１（視線方向に対して単位法線ベクトルの方向が０度であって、ポリゴンの平面と視線方向とが直角の場合）」（参１ｂ）
「各頂点における法線ベクトルＮの大きさが等しい場合であっても、そのＺ成分の大きさはポリゴンの平面と視線方向とのなす角度によって異なり、ポリゴンの平面と視線方向が直角に近くなるほど単位法線ベクトルのＺ成分は大きくなる。従って、・・・単位法線ベクトルのＺ成分が大きい（Ｚ成分が１に近い）ので、透明度変換回路４０から出力される補正された頂点の透明度αoutは、透明度変換回路４０への入力値αinに近い値になる。一方、角筒の側面になるほど、単位法線ベクトルのＺ成分が小さくなる（Ｚ成分が０に近くなる）ので、補正後の頂点の透明度αout は透明度変換回路４０への入力値αinに比べて低くなる。」（参１ｃ）
旨記載されており、上記記載より参考文献１には、「半透明をしたポリゴンなどの透明度をその平面の傾斜角度に応じて変化させることで、表現された物体に優れた立体感を与えるために、透明度を単位法線ベクトルの視線方向に対するＺ成分の大きさに応じ、大きさが大きい場合は透明度を高く、大きさが小さい場合は、透明度を低く設定する」技術事項（以下「技術事項１」という）が記載されているといえる。
ｂ　上記（イ）より、参考文献２には、
「視点との位置関係によって透明度が変化するような物体をリアルに表現することが可能なプログラムであって、
　視線ベクトルＮｖと描画ピクセルｐｂ１の法線ベクトルの内積のべき乗をテクスチャ座標のＵ座標としてαテクスチャを参照し、
　αテクスチャでは、Ｕ＝１に近いテクセルにはα＝０に近い値が設定され、
　内積は−０．５となる内積のべき乗をテクスチャ座標のＵ座標としてαテクスチャを参照すると、Ｕ＝０．２５のテクセルにはα＝０．７５が設定され、
　描画ピクセルｐｃ１はα＝０．７５で背景色とαブレンディングされ、描画ピクセルｐｃ１の色とオブジェクト２００の色が３：１の割合で合成され、
　法線ベクトルの向きが視線ベクトルの向きと正対する基準方向からずれている描画ピクセルｐｃ１の透明度は、描画ピクセルｐｂ１の透明度よりも低くなる」
旨記載されており、「描画ピクセルｐｂ１」は「Ｕ＝１に近いテクセルにはα＝０に近い値が設定され」、「描画ピクセルｐｃ１」は「Ｕ＝０．２５のテクセルにはα＝０．７５が設定され」ており、結果として「描画ピクセルｐｃ１の透明度は、描画ピクセルｐｂ１の透明度よりも低くな」っているおり、「視線ベクトルＮｖ」と「法線ベクトルの内積のべき乗をテクスチャ座標のＵ座標として」いるから、参考文献２には、「視線ベクトルＮｖ」と「法線ベクトルの内積のべき乗」が０．２５の場合の透明度は、１に近い場合の透明度より低くなる、すなわち、描画ピクセルの透明度を「視線ベクトルＮｖ」と「法線ベクトルの内積のべき乗」に応じ、大きさが大きい場合は透明度を高く、大きさが小さい場合は透明度を低く設定する旨記載されているといえる。
　そうすると、参考文献２には、「視点との位置関係によって透明度が変化するような物体をリアルに表現するために、描画ピクセルの透明度を視線ベクトルＮｖと法線ベクトルの内積のべき乗に応じ、大きさが大きい場合は透明度を高く、大きさが小さい場合は透明度を低く設定する」技術事項（以下「技術事項２」という。）が記載されているといえる。
ｃ　技術事項１の「半透明をしたポリゴンなどの透明度をその平面の傾斜角度に応じて変化させることで、表現された物体に優れた立体感を与える」こと及び技術事項２の「視点との位置関係によって透明度が変化するような物体をリアルに表現する」ことは、何れも、「表現された物体」の「立体的な位置関係を把握する」ためのものである。
　また、技術事項１の「単位法線ベクトル」及び「視線方向」と、技術事項２の「法線ベクトル」及び「視線ベクトルＮｖ」とは、それぞれ、本件補正発明の「前記仮想光線と交差する点でのサーフィスに対する法線」及び「前記仮想光線の進行方向」に相当する。
　そして、技術事項１の「単位法線ベクトルの視線方向に対するＺ成分の大きさ」が「大きい場合」と、技術事項２の「描画ピクセルの透明度を視線ベクトルＮｖと法線ベクトルの内積のべき乗」の「大きさが大きい場合」は、何れも、本件補正発明の「前記仮想光線の進行方向と、前記仮想光線と交差する点でのサーフィスに対する法線と、の成す角度であるシェーディング角」が「小さい場合」に相当する。
　すると、技術事項１及び２は、何れも「表現された物体の立体的な位置関係を把握するために、前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように、透明度を設定する技術」であるといえるから、「表現された物体の立体的な位置関係を把握するために、前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように、透明度を設定する技術」は周知技術（以下「周知技術１」という。）であるといえる。
ｄ　上記（ウ）より、参考文献３には「画素値を予め設定された３次元表示用の視線ベクトルと臓器境界面に対する法線ベクトルとの内積値に基づいて補正し、不透明度は、補正された画素値に基づいて設定される」旨記載され、上記（エ）より、参考文献４には、「ボクセル値を予め設定された３次元表示用の視線ベクトルと臓器境界面に対する法線ベクトルとの内積値に基づいて補正し、不透明度は、補正されたボクセル値に基づいて設定される」旨記載されている。参考文献３の「画素値」及び参考文献４の「ボクセル値」は、何れも引用発明の「投影値」に相当するから、参考文献３及び４には、何れも「投影値を予め設定された３次元表示用の視線ベクトルと臓器境界面に対する法線ベクトルとの内積値に基づいて補正し、不透明度は、補正された投影値に基づいて設定される」技術が記載されているといえる。
　そうすると、「投影値を予め設定された３次元表示用の視線ベクトルと臓器境界面に対する法線ベクトルとの内積値に基づいて補正し、不透明度は、補正された投影値に基づいて設定される」技術は、周知技術（以下「周知技術２」という。）であるといえる。
（３）引用発明との対比
ア　本件補正発明と引用発明とを対比する。
（ア）引用発明の「医用画像診断システム」は「ボリュームデータ記憶部１１に記憶されたボリュームデータに基づいてＭＩＰ画像及びサーフェイスレンダリング（ＳＲ）画像を作成してそれらを合成する」ものであるから、本件補正発明の「医用画像処理装置」に相当する。
（イ）引用発明の「ボリュームデータ記憶部１１」は、「医用画像診断装置１０により取得された被検体に関するボリュームデータを取り込んで記憶する」ものであるから、「医用画像診断装置１０により取得された被検体に関するボリュームデータを取り込」むためのポートを有しているといえる。
　そうすると、引用発明の「医用画像診断装置１０により取得された被検体に関するボリュームデータを取り込」むためのポートは、本件補正発明の「被検体を含むボリュームデータを取得するポート」に相当する。
（ウ）引用発明の「三次元画像作成部５８」は、「ボリュームデータ記憶部１１に記憶されたボリュームデータに基づいてＭＩＰ画像及びサーフェイスレンダリング（ＳＲ）画像を作成してそれらを合成する」ものであるが、通常、画像の作成や合成は、「ＣＰＵ（Central Processing Unit）」において行われるものであるから、引用発明の「三次元画像作成部５８」が行う、「ボリュームデータ記憶部１１に記憶されたボリュームデータに基づいてＭＩＰ画像及びサーフェイスレンダリング（ＳＲ）画像を作成してそれらを合成する」処理も、「ＣＰＵ（Central Processing Unit）」において行われているものである。
　そうすると、「ボリュームデータ記憶部１１に記憶されたボリュームデータに基づいてＭＩＰ画像及びサーフェイスレンダリング（ＳＲ）画像を作成してそれらを合成する」「ＣＰＵ（Central Processing Unit）」は、本件補正発明の「前記ボリュームデータに基づいて表示画像を生成するプロセッサ」に相当する。
（エ）引用発明の「位置関係表示画像６０」及び「表示部５６」は、それぞれ、本件補正発明の「表示画像」及び「ディスプレイ」に相当する。そして、引用発明の「表示部５６」は、「位置関係表示画像６０を表示する」から、引用発明の「位置関係表示画像６０を表示する」「表示部５６」は、本件補正発明の「前記表示画像を表示するディスプレイ」に相当する。
（オ）引用発明の「ＭＩＰ画像」は「ＭＩＰ法を用いて」作成されるものであって、「ＭＩＰ法」は、「ボリュームデータに対し、検者が指定した視点及び投影面に対応した配置関係で二次元構造体である投影面を三次元空間に配置するものであって、ボリュームデータの投影面上の各画素への投影値として、投影線上にあるデータのうち値が最も大きなデータの値を求め、求めた投影値を各画素の値として、これら複数の画素に基づ」くものであり、「ボリュームデータに対し、検者が指定した視点及び投影面に対応した配置関係で二次元構造体である投影面を三次元空間に配置するものであって、ボリュームデータの投影面上の各画素への投影値」は、「ボリュームデータに対し、検者が指定した視点」からの投射される仮想光線上の任意の範囲におけるボクセルのボクセル値であるといえ、「データのうち値が最も大きなデータの値を求め、求めた投影値」は、統計値であるといえるから、引用発明の「ボリュームデータに対し、検者が指定した視点及び投影面に対応した配置関係で二次元構造体である投影面を三次元空間に配置するものであって、ボリュームデータの投影面上の各画素への投影値として、投影線上にあるデータのうち値が最も大きなデータの値を求め、求めた投影値」は、本件補正発明の「前記ボリュームデータに対して投射される仮想光線上の任意の範囲におけるボクセルのボクセル値の統計値」に相当する。
（カ）引用発明の「ＳＲ画像」は、「サーフェイスレンダリング（ＳＲ）法を用いて」作成されるものであって、「サーフェイスレンダリング法」は、「ボリュームデータに対して視点及び投影面が検者により設定され、ボリュームデータから閾値処理などによって被検体の表面境界が抽出され、投影面上の各画素（座標（Ｘ，Ｙ））への投影値として、視線ベクトルと境界面の法線ベクトルとのなす角度をもととした陰影処理結果が投影値に反映され」る方法であり、「ボリュームデータに対して視点及び投影面が検者により設定され、ボリュームデータから閾値処理などによって被検体の表面境界が抽出され、投影面上の各画素（座標（Ｘ，Ｙ））への投影値として、視線ベクトルと境界面」は、「検者により設定され」た「視点」からの前記仮想光線上の任意の位置における前記被検体の輪郭であるといえる。そうすると、引用発明の「サーフェイスレンダリング（ＳＲ）法を用いて」作成される「ＳＲ画像」の「ボリュームデータに対して視点及び投影面が検者により設定され、ボリュームデータから閾値処理などによって被検体の表面境界が抽出され、投影面上の各画素（座標（Ｘ，Ｙ））への投影値として、視線ベクトルと境界面の法線ベクトルとのなす角度をもととした陰影処理結果」として「反映され」た「投影値」は、本件補正発明の「前記仮想光線上の任意の位置における前記被検体の輪郭の陰影値」に相当する。
（キ）引用発明の「位置関係表示画像６０」は、「三次元画像作成部５８で作成されたＭＩＰ画像とＳＲ画像とが合成された三次元画像と、切断面作成部１３で作成された切断面との相互位置関係を表す」画像として「作成」されることから、「ＭＩＰ画像とＳＲ画像と」に基づいて作成されるものであるといえる。そうすると、上記（オ）及び（カ）より、引用発明の「位置関係表示画像６０」の画素値は、「ＭＩＰ画像とＳＲ画像と」に基づいて定められるものであるから、本件補正発明の「前記ボリュームデータに対して投射される仮想光線上の任意の範囲におけるボクセルのボクセル値の統計値と、前記仮想光線上の任意の位置における前記被検体の輪郭の陰影値と、に基づいて定められ」る「前記表示画像の少なくとも１つの画素の画素値」に相当する。
（ク）引用発明の「ＭＩＰ法」による「投影値」は、「投影線上にあるデータのうち値が最も大きなデータの値を求め」ることによるものであり、「サーフェイスレンダリング法」による「投影値」は、「投影面上の各画素（座標（Ｘ，Ｙ））への投影値として、視線ベクトルと境界面の法線ベクトルとのなす角度をもととした陰影処理結果」を反映したものであるから、「ＭＩＰ法」による「投影値」と「サーフェイスレンダリング法」による「投影値」は独立した値であるといえる。
　そうすると、引用発明の「ＭＩＰ法」による「投影値」と「サーフェイスレンダリング法」による「投影値」は独立した値であることは、本件補正発明の「前記統計値と前記輪郭の陰影値は独立した値であ」ることに相当する。
（ケ）引用発明の「三次元画像作成部５８」は、「ＭＩＰ画像及びＳＲ画像に対してそれぞれ不透明度を設定しておき、不透明度に応じた係数及びＺ座標値に応じた割合でＭＩＰ画像の輝度値とＳＲ画像の輝度値とをブレンドすることで、手前側のＳＲ画像が半透明に表示され、奥側のＭＩＰ画像がＳＲ画像を透過して表示されるようにし」ており、上記（ウ）で検討したとおり、引用発明の「三次元画像作成部５８」が行う処理は、「ＣＰＵ（Central Processing Unit）」において行われているものであって、該「三次元画像作成部５８」は、「ＭＩＰ画像の輝度値とＳＲ画像の輝度値とをブレンドする」際に、「手前側のＳＲ画像」の「不透明度を設定」しているから、引用発明の「三次元画像作成部５８」の処理を行う「ＣＰＵ（Central Processing Unit）」は、「ＭＩＰ画像の輝度値とＳＲ画像の輝度値とをブレンドする」際に、「手前側のＳＲ画像」の「不透明度を設定」することと、本件補正発明の「前記プロセッサは、前記表示画像を生成する際に、前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように、前記輪郭の陰影の透明度を設定する」こととは、「前記プロセッサは、前記表示画像を生成する際に、前記輪郭の陰影の透明度を設定する」ことで共通する。
イ　以上のことから、本件補正発明と引用発明との一致点及び相違点は、次のとおりである。
（一致点）「被検体を含むボリュームデータを取得するポートと、
　前記ボリュームデータに基づいて表示画像を生成するプロセッサと、
　前記表示画像を表示するディスプレイと、
　を備え、
　前記表示画像の少なくとも１つの画素の画素値は、
　前記ボリュームデータに対して投射される仮想光線上の任意の範囲におけるボクセルのボクセル値の統計値と、
　前記仮想光線上の任意の位置における前記被検体の輪郭の陰影値と、
　に基づいて定められ、
　前記統計値と前記輪郭の陰影値は独立した値であり、
　前記プロセッサは、前記表示画像を生成する際に、前記輪郭の陰影の透明度を設定する
　医用画像処理装置。」
（相違点）プロセッサによる前記輪郭の陰影の透明度の設定が、本件補正発明は、「前記表示画像を生成する際に、前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように」設定しているのに対し、引用発明は「ＭＩＰ画像のＺ座標とＳＲ画像のＺ座標とを比較することにより、ＭＩＰ画像及びＳＲ画像のうち視点２１からより遠く他方の陰になって見えない一方に対して陰面処理を施し、ＭＩＰ画像及びＳＲ画像に対してそれぞれ不透明度を設定しておき、不透明度に応じた係数及びＺ座標値に応じた割合でＭＩＰ画像の輝度値とＳＲ画像の輝度値とをブレンドすることで、手前側のＳＲ画像が半透明に表示され、奥側のＭＩＰ画像がＳＲ画像を透過して表示されるように」設定している点。
（４）判断
ア　相違点について
　以下、相違点について検討する。
（ア）上記（２）イ（オ）ｃで検討したとおり、「表現された物体の立体的な位置関係を把握するために、前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように、透明度を設定する技術」は周知技術である。
（イ）引用発明の「ＭＩＰ画像のＺ座標とＳＲ画像のＺ座標とを比較することにより、ＭＩＰ画像及びＳＲ画像のうち視点２１からより遠く他方の陰になって見えない一方に対して陰面処理を施し、ＭＩＰ画像及びＳＲ画像に対してそれぞれ不透明度を設定しておき、不透明度に応じた係数及びＺ座標値に応じた割合でＭＩＰ画像の輝度値とＳＲ画像の輝度値とをブレンドすることで、手前側のＳＲ画像が半透明に表示され、奥側のＭＩＰ画像がＳＲ画像を透過して表示されるように」設定することは、「被検体の体表と血管３１、３２及び３３との立体的な位置関係を把握する」（（引１ｅ）参照。）ためのものであるから、「ＳＲ画像を透過して表示される」設定における「ＳＲ画像」の不透明度の係数の設定として、「表現された物体の立体的な位置関係を把握するため」の技術である上記周知技術１を適用し、上記相違点に係る構成とすることは、当業者が容易に想到できたことであるといえる。
　そうすると、本件補正発明は、引用発明及び参考技術事項に基づいて、当業者が容易に想到できたことであるといえる。
（ウ）周知技術２の「予め設定された３次元表示用の視線ベクトルと臓器境界面に対する法線ベクトルとの内積値に基づいて補正し」することは、引用発明の「視線ベクトルと境界面の法線ベクトルとのなす角度をもととした陰影処理結果」を「反映する」ことに相当する。
　すると、周知技術２の「予め設定された３次元表示用の視線ベクトルと臓器境界面に対する法線ベクトルとの内積値に基づいて補正」された「投影値」は、引用発明の「視線ベクトルと境界面の法線ベクトルとのなす角度をもととした陰影処理結果が」「反映され」た「投影値」に相当する。
（エ）上記（２）イ（オ）ｃで検討したとおり、周知技術２は、「投影値を予め設定された３次元表示用の視線ベクトルと臓器境界面に対する法線ベクトルとの内積値に基づいて補正し、不透明度は、補正された投影値に基づいて設定される」技術であって、「前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように、透明度を設定する技術」であるから、引用発明の「ＳＲ画像に対」する「不透明度」の「設定」を、「視線ベクトルと境界面の法線ベクトルとのなす角度をもととした陰影処理結果が」「反映され」た「投影値」に基づいた設定とし、その際の透明度の設定を、前記シェーディング角が小さい場合に陰影の透明度が高い値となり、前記シェーディング角が大きい場合に陰影の透明度が低い値となるように設定することは、当業者が容易に想到できたことであるといえるから、相違点に係る構成は、この点からも容易に想到できたことであるといえる。
イ　作用効果について
　本件補正発明の奏する作用効果は、引用文献１及び参考文献１〜４に記載された技術の奏する作用効果から予測される範囲内のものにすぎず、格別顕著なものということはできない。
ウ　小括
　したがって、本件補正発明は、引用発明、周知技術１及び２に基づいて、当業者が容易に発明をすることができたものであり、特許法２９条２項の規定により、特許出願の際独立して特許を受けることができないものである。
３　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の決定の結論のとおり決定する。
第３　本願発明について
１　本願発明
　令和２年８月７日にされた手続補正は、上記のとおり却下されたので、本願の請求項に係る発明は、令和２年２月７日にされた手続補正により補正された特許請求の範囲の請求項１〜１３に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、この出願の請求項１、６−８、１１−１３に係る発明は、本願出願前に日本国内又は外国において、頒布された又は電気通信回線を通じて公衆に利用可能となった下記の引用文献１に記載された発明であるから、特許法２９条１項３号に該当し、また、この出願の請求項１−８、１１−１３に係る発明は、下記の引用文献１に記載された発明に基づいて、この出願の請求項９−１０に係る発明は、下記の引用文献１に記載された発明及び引用文献２−４に記載された事項に基づいて、その出願日前にその発明の属する技術の分野における通常の知識を有する者が容易に発明をすることができたものであるから、特許法２９条２項の規定により特許を受けることができない、というものである。
引用文献１．国際公開第２００７／０４３３１０号
引用文献２．特開平６−１８９９５２号公報（周知技術を示す文献）
引用文献３．国際公開第２０１１／１４９０８７号（周知技術を示す文献）
引用文献４．特開２００５−８６２２８号公報（周知技術を示す文献）
３　引用文献
　原査定の拒絶の理由で引用された引用文献１及びその記載事項は、前記第２の［理由］２（２）アに記載したとおりである。
４　対比・判断
　本願発明は、前記第２の［理由］２で検討した本件補正発明から、「前記プロセッサは、前記表示画像を生成する際に、前記仮想光線の進行方向と、前記仮想光線と交差する点でのサーフィスに対する法線と、の成す角度であるシェーディング角に基づいて、前記シェーディング角が小さい場合に陰影の透明度が高い値となり、前記シェーディング角が大きい場合に陰影の透明度が低い値となるように、前記輪郭の陰影の透明度を設定する」旨の限定事項を削除したものであって、前記第２の［理由］２（３）において検討した相違点は、本件補正により限定された事項により生じた相違点であるから、本願発明と引用発明との間の相違点はないものとなり、本願発明は引用発明であるといえる。仮に、本願発明と引用発明との間に相違点があったとしても、引用発明に基づいて、当業者が容易に発明をすることができたものであるといえる。
第４　むすび
　以上のとおり、本願発明は、特許法２９条１項３号に該当するか、又は、同条２項の規定により特許を受けることができないから、他の請求項に係る発明について検討するまでもなく、本願は拒絶されるべきものである。
　よって、結論のとおり審決する。